(57)【特許請求の範囲】
【請求項１】
戸体を開口部の開放時に壁内に引き込み収納する上吊り式引戸において、該戸体を吊持するハンガーレールの戸尻側部位を壁内の戸体収納部の上方に設けた受金具に係止し、該受金具の戸先側には該ハンガーレールを係止位置に案内するための案内面を設け、該案内面は、前記ハンガーレールの上下方向の位置決めをする水平案内面および見込み方向の位置決めをする垂直案内面とからなることを特徴とする上吊り式引戸のハンガーレール取付構造。
【請求項２】
請求項１において、受金具は上枠の戸尻側端部に位置し、前記垂直案内面に固着された受金具であることを特徴とする上吊り式引戸のハンガーレール取付構造。
【発明の詳細な説明】
【０００１】
【発明の属する技術分野】
本発明は上吊り式引戸のハンガーレール取付構造に係り、詳しくは戸体を開口部の開放時に壁内に引き込み収納する上吊り式引戸のハンガーレール取付構造に関する。
【０００２】
【従来の技術】
従来、戸体を開口部の開放時に壁内に引き込んで収納する上吊り式引戸では、ハンガーレール全長のうち戸尻側約１／２は手の届かない壁内に設置されており当該個所に設けられた部品等のメンテナンスが出来ないと言う不具合があった。  そのためメンテナンス時にはハンガーレール全体を取り外し出来るように、壁内では該ハンガーレールの戸尻側端部を構造躯体（あるいは引戸枠等）に設けた受金具に係止させるのみとし、開口部位置（あるいは手が届き作業可能な位置）において該ハンガーレールを構造躯体に螺子止め固定し、該螺子を外すだけでハンガーレール全体の取り外しができる構造が採用されていた。
【０００３】
ところが、一旦、取り外したハンガーレールを付け直す場合、長尺材であるハンガーレールを壁内に差し入れ、壁内の最奥に設けられた受金具とハンガーレールの先端（戸尻側端）とを上下左右に精確に位置合わせして係止させるのは大変に難しく、受金具とハンガーレールの先端同士をぶつけて破損させてしまうと言う問題があった。
【０００４】
【発明が解決しようとする課題】
本発明は上記課題を解決すべく創案されたもので、戸体を吊持するハンガーレールの戸尻側部位を壁内の戸体収納部の上方に設けた受金具に係止した上吊り式引戸のハンガーレール取付構造において、一旦、取り外したハンガーレールを付け直す場合に、ハンガーレールの戸尻側部位を壁内に設けた受金具に容易に位置合わせして係止することができるハンガーレール取付構造を提供することを目的とする。
【０００５】
【課題を解決するための手段】
上記課題を解決するために本発明が採用した技術手段は、戸体を開口部の開放時に壁内に引き込み収納する上吊り式引戸において、該戸体を吊持するハンガーレールの戸尻側部位を壁内の戸体収納部の上方に設けた受金具に係止し、該受金具の戸先側には該ハンガーレールを係止位置に案内するための案内面を設けたことを特徴とするものである。
【０００６】
前記案内面は、前記ハンガーレールの上下方向の位置決めをする水平案内面および見込み方向の位置決めをする垂直案内面とからなることを特徴とするものである。
【０００７】
【発明の実施の形態】
以下、本発明の実施の形態について図１〜７を参照して説明する。図１は上吊り式引戸の全体正面図、図２は図１のＥ−Ｅ線の水平断面図、図３は図１のＦ−Ｆ線の縦断面図、図４は図１のＧ−Ｇ線の縦断面図であって、上吊り式引戸の基本構成は壁面に設けられた開口部Ａを開閉する戸体１と、該戸体１を走行自在に吊持するハンガーレール２と、該ハンガーレール２を取付け固定するとともに開口部Ａ及び前記壁面の内部に戸体収納部Ｂ（開口部の開放時に戸体を引き込んで収納する空間）を形成する引戸枠５からなり、戸体１がハンガーレール２に沿って走行することで開口部Ａの開閉がなされる。尚、該戸体１は上部に設けられたハンガーローラ１１、１１によりハンガーレール２に走行自在に吊持され、下端は床面に固定された振れ止めローラ１２により案内されている。
また開口部Ａの上方部位には点検カバー１５が前記ハンガーレール２の前面を覆うように設けられている。ちなみに壁面は、いわゆる軽鉄間仕切と称される間仕切り壁で床と天井間に立設したスタッド材（図示せず）の両面に壁材（石膏ボード）１０１を貼り込んだものである。
【０００８】
引戸枠５は、開口部Ａの左右に立設される戸先側竪枠７と戸尻側竪枠８と前記戸体収納部Ｂの最奥（図１の右端）に立設された壁内竪枠９と、それらの上部を連結する上枠６とからなり全体が略Ｅ字状に構成されている。
また戸先側竪枠７には戸当たりゴム７１が、壁内竪枠９にはストッパーゴム９１が、戸体１の戸先部には合成ゴムの戸先カバー１３が装着され、開閉操作時の戸体１と引戸枠５との衝突音の緩和や気密性の向上が図られている。また戸尻側竪枠８には隙間カバー８１が装着され戸体１との隙間を小さくして通行者の指の引き込み事故防止や気密性の向上が図られている。ちなみに壁内竪枠９は、本例のように引戸枠専用の部材ではなく、前述の間仕切壁のスタッド材等を利用したものでもよい。
【０００９】
図５（ａ）は上枠の平面図、（ｂ）は上枠の正面図兼ハンガーレールの取付説明図、図６はハンガーレールの正面図であって、これらの図を併せハンガーレール２の取付構造について説明する。
ハンガーレール２は上下の水平辺とその間をつなぐ垂直辺からなる断面コ字状のレール受台２１と該レール受台２１の垂直辺に断面Ｊ字状のレール本体２２が螺子２３で止着された長尺材で、前記上枠６に戸先側約１／２（以下、戸先側半部と称する）を開口部Ａの上方に、戸尻側約１／２を（以下、戸尻側半部と称する）戸体収納部Ｂの上方に位置する状態で一体的に取付けられている。
詳しくはハンガーレール２の下面を、上枠６の下端から（見込み方向）前側に向けて水平に折り曲げ突出させた水平支持辺６ｂの上面（本発明の水平案内面）に載置し、ハンガーレールの裏面を上枠６の垂直取付辺６ａ（本発明の垂直案内面）に当接させた位置で戸尻側端を後述する受金具４に係止させ、前記戸先側半部の適宜個所を螺子２５で止着することで上枠６に取付け固定されている。
【００１０】
ここで前記水平支持辺６ｂは、受金具４の下方に設けられた短尺の第１水平支持辺６ｂ１と開口部Ａ位置に設けられた長尺の第２水平支持辺６ｂ２から構成されているが、この水平支持辺を２ヶ所に分割して設け中間部を垂直取付辺６ａのみとしたことで、後述するように手際良くハンガーレールの取付けをすることができ好適である。もっとも水平支持辺６ｂは、少なくともハンガーレールの戸尻側端の下面を係止位置に案内できるものであれば、第１支持辺６ｂ１のみ、あるいは水平支持辺６ｂ１と第２水平支持辺６ｂ２が連続したものでも良い。また前記垂直取付辺６ａに設けられた螺子孔６ｋ、６ｋは、ハンガーレール２を取付ける螺子２５を螺着するものであり、長方形の切り欠き孔６ｊ、６ｊはハンガーレール２の裏面に突出した螺子２３を逃がすためのものである。またレール受台２１に穿設された丸孔２１ｋは螺子２５止着するためのものである。
【００１１】
前記受金具４は上枠６の戸尻側端部に位置し、前記垂直取付辺６ａに固着された縦長長方形の台座板４１と該台座４１の戸先側端からその横幅の約１／２を突出させて固着された長方形状の挟み板４３から構成されている。そしてハンガーレール２は、レール受台２１の戸尻側端を台座板４１に突き当てた状態で、レール受台２１の垂直辺が垂直取付辺６ａと挟み板４３の間隙Ｓに挟持されて受金具４に係止されている。受金具４は、台座板４１の板厚を前記レール受台２１と同じにすることで、前記間隙Ｓにレール受台２１を係止した時に前後方向にガタツキなくしっかりと挟持することができ、また挟み板４３を戸先側の上下端を円弧状とし、かつ戸先側を手前側に開いて固着させることでレール受台２１を差込みしやすくし、縦寸法をレール受台２１の上下フランジ間の内幅と略同寸法とすることで、上下方向もガタツキなく挟持することができる。
【００１２】
また本実施の形態の上吊り式引戸は、ハンガーレールの傾斜と戸体の自重を利用して自動閉鎖させる、いわゆる傾斜レール式と呼ばれるものであるが、ハンガーレール２をレール受台２１とレール本体２２の二部材で構成し、該レール本体２２をレール受台２１に対して傾斜させて取付けることで、傾斜レール式でありながら、ハンガーレール２自体は水平に取付ければ良く、ハンガーレール自体を傾斜させて取付けるのに比べ、さらに取付が容易なものになっている。尚、ハンガーレール２は本実施の形態のような二部材で構成したものに限定される訳ではなく、一体型の一部材で構成されたものを用いても良い。ちなみにハンガーレール２には、図示しない一時停止装置や制動装置等の自動閉鎖式引戸用の部品が取付けられており、ハンガーレール２を取り外すことでこれらの部品の交換も可能になっている。
【００１３】
以上のように構成された上吊り式引戸においてハンガーレール２を付け直す時は、先ず点検カバー１５を外した開口部の対角位置にハンガーレール２をセットし、ハンガーレール２の戸尻側端を戸尻側竪枠８、８の間から戸体収納部の上部に差し入れる。次にハンガーレール２の戸尻側先端の裏面を上枠２の垂直取付辺６ａの面に当接させ（図６のイ）、さらにハンガーレール２の戸尻側端の下面が第１水平支持辺６ｂ１の端縁に当たる（図６のロ）まで垂直取付辺６ａ面上を滑らせ、その後に該ハンガーレール２の戸先側を持ち上げて水平支持辺６ｂ２上に載せ、レール受台２１の戸尻側端面が台座板４１の戸先側端面に当るまで移動させ、レール受台２１の戸先側半部を螺子２５を締め付け固定することで、該ハンガーレール２を容易に正規の位置に取付け固定することができる。またハンガーレール２の取り外しは逆の手順で行うことができる。
要するに、ハンガーレール２の係止部位（戸尻側端）を垂直取付辺６ａ（垂直案内面）及び水平支持辺６ｂ（水平案内面）に当接させながら壁内に差し込んでいくだけで自動的に係止位置に案内されるので、受金具４が壁内の最奥に設けられた場合でも容易にハンガーレール２を係止させることができる。
【００１４】
図７は他の実施の形態の上吊り引戸の概略全体正面図、図８は他の実施の形態のハンガーレールの正面図であって、戸体を吊持するハンガーレール２０１は、その全長を開口部Ａの開口幅内に臨む位置で分割され、戸体収納部Ｂ上方から開口部Ａの上方の一部に跨って設置される壁内ハンガーレール２０１ａと開口幅内に設置される開口ハンガーレール２０１ｂとに分割されている。壁内ハンガーレール２０１ａは開口部と点検カバー部分を含めた空間の対角寸法Ｌ１より短く作られている。壁内ハンガーレール２０１ａは第１の実施の形態と同じように戸尻側端部を受金具に嵌入し、戸先側を開口部に臨む個所でネジ止め固定されている。またハンガーレール２０１はレール受台２０２とレール本体２０３の分割位置を変えることで、分割したレール同士の接合が容易となり、接合部の強度を向上させることができる。
【００１５】
ハンガーレール２と受金具４の係止部位の構造は、本実施の形態に限定されるものではなく、ハンガーレール２の戸尻側部位を位置決め係止できる構造であれば、その形状やいずれの部材を嵌入、被嵌入側とするかは自由である。また本実施の形態では、傾斜レール式の自閉閉鎖型上吊り式引戸としたが、他の形式の自動閉鎖型上吊り式引戸（例えば、レールを水平にして別途戸体を閉鎖方向へ自閉させる装置を設けたもの）に適用できることは言うまでもない。
【００１６】
【発明の効果】
請求項１の記載の発明によれば、戸体を吊持するハンガーレールの戸尻側部位を壁内の戸体収納部の上方に設けた受金具に係止し、該受金具の戸先側には該ハンガーレールを係止位置に案内するための案内面を設け、該案内面は、前記ハンガーレールの上下方向の位置決めをする水平案内面および見込み方向の位置決めをする垂直案内面とからなる構造としたことで、ハンガーレールの戸尻側が壁内に設置される上吊り式引戸であっても、一旦、取り外したハンガーレールを付け直す場合に、ハンガーレールの戸尻側部位を壁内に設けた受金具に容易に位置合わせして係止することができる。さらに、請求項２に記載の発明によれば、戸体を吊持するハンガーレールの戸尻側部位を壁内の戸体収納部の上方に設けた受金具に係止し、該受金具の戸先側には該ハンガーレールを係止位置に案内するための案内面を設け、該案内面は、前記ハンガーレールの上下方向の位置決めをする水平案内面および見込み方向の位置決めをする垂直案内面とからなり、該受金具は上枠の戸尻側端部に位置し、前記垂直案内面に固着された受金具であることから、ハンガーレール２の係止部位（戸尻側端）を垂直取付辺６ａ（垂直案内面）及び水平支持辺６ｂ（水平安内面）に当接させながら壁内に差し込んでいくだけで自動的に係止位置に案内されるので、受金具４が壁内の最奥に設けられた場合でも容易にハンガーレール２を係止させることができる。
【図面の簡単な説明】
【図１】上吊り式引戸の全体正面図。
【図２】図１のＥ−Ｅ線の水平断面図。
【図３】図１のＦ−Ｆ線の縦断面図。
【図４】図１のＧ−Ｇ線の縦断面図。
【図５】（ａ）上枠の平面図。（ｂ）上枠の正面図兼ハンガーレールの取付説明図。
【図６】ハンガーレールの正面図。
【図７】他の実施の形態の上吊り引戸の概略全体正面図。
【図８】他の実施の形態のハンガーレールの正面図。
【符号の説明】
１        戸体
２        ハンガーレール
４        受金具
５        引戸枠
６        上枠
６ａ    垂直取付辺
６ｂ    水平支持辺
Ａ        開口部
Ｂ        戸体収納部
【図１】
0003627131.tif 000002
【図２】
0003627131.tif 000003
【図３】
0003627131.tif 000004
【図４】
0003627131.tif 000005
【図５】
0003627131.tif 000006
【図６】
0003627131.tif 000007
【図７】
0003627131.tif 000008
【図８】
0003627131.tif 000009